【手続補正書】
【提出日】平成20年9月12日(2008.9.12)
【手続補正１】
【補正対象書類名】特許請求の範囲
【補正対象項目名】全文
【補正方法】変更
【補正の内容】
【特許請求の範囲】
【請求項１】
設定された検索条件に基づく検索結果の情報と検索によらない情報とを格納することが可能なフォルダに対して、情報の格納及び情報の削除に関する設定と、当該フォルダに格納されている情報の表示に関する処理とを実行する情報処理装置であって、
前記検索によらない情報を前記フォルダに格納した際に、当該情報を特定するための追加情報を格納する追加情報格納手段と、
前記検索結果を示す情報から削除された情報を特定するための削除情報を格納する削除情報格納手段と、
前記検索結果の情報から前記削除情報により特定される情報を削除した情報と、前記追加情報により特定される情報とに基づいて、表示手段に表示するための表示情報を生成する表示情報処理手段と、
を備えることを特徴とする情報処理装置。
【請求項２】
前記フォルダに格納されている情報が削除された場合、当該削除された情報が前記検索結果の情報であるか、前記検索によらない情報であるかを判定する判定手段を更に備え、
前記削除された情報が前記検索結果の情報であると前記判定手段により判定された場合、前記削除情報格納手段は、前記削除された情報を特定するための削除情報を格納することを特徴とする請求項１に記載の情報処理装置。  
【請求項３】
前記削除された情報が前記検索によらない情報であると前記判定手段により判定された場合、前記追加情報格納手段は、前記検索によらない情報を特定するための前記追加情報を削除することを特徴とする請求項２に記載の情報処理装置。
【請求項４】
削除処理の履歴を示す情報を格納する削除履歴情報格納手段を更に備えることを特徴とする請求項１に記載の情報処理装置。
【請求項５】
削除処理の取消指示が入力されたことにより、前記削除履歴情報格納手段に格納されている情報が削除された場合、
前記削除情報格納手段は、前記削除履歴情報格納手段から削除された情報に対応する削除情報を特定し、当該削除情報を削除することを特徴とする請求項４に記載の情報処理装置。
【請求項６】
前記表示情報処理手段により生成された表示情報に基づいて、前記検索結果の情報から前記削除情報により特定される情報を削除した情報と、前記追加情報により特定される情報と、を識別して表示手段に表示させる表示制御手段を更に備えることを特徴とする請求項４に記載の情報処理装置。
【請求項７】
前記検索条件により再検索を行った場合、前記表示制御手段は、前記検索結果の情報から前記削除情報により特定される情報を削除した情報を、検索結果の表示として前記表示手段に表示させることを特徴とする請求項６に記載の情報処理装置。
【請求項８】
削除処理の取消指示が入力されたことにより、前記削除履歴情報格納手段に格納されている情報を削除して前記検索条件により再検索を行った場合、前記表示制御手段は、前記検索結果の情報を検索結果の表示として前記表示手段に表示させることを特徴とする請求項６に記載の情報処理装置。
【請求項９】
設定された検索条件に基づく検索結果の情報と検索によらない情報とを格納することが可能なフォルダに対して、情報の格納及び情報の削除に関する設定と、当該フォルダに格納されている情報の表示に関する処理とを実行する情報処理装置における情報処理方法であって、
前記検索によらない情報を前記フォルダに格納した際に、当該情報を特定するための追加情報を追加情報格納手段に格納する追加情報格納工程と、
前記検索結果を示す情報から削除された情報を特定するための削除情報を削除情報格納手段に格納する削除情報格納工程と、
前記検索結果の情報から前記削除情報により特定される情報を削除した情報と、前記追加情報により特定される情報とに基づいて、表示手段に表示するための表示情報を生成する表示情報処理工程と、
を備えることを特徴とする情報処理方法。
【請求項１０】
前記フォルダに格納されている情報が削除された場合、当該削除された情報が前記検索結果の情報であるか、前記検索によらない情報であるかを判定する判定工程を更に備え、
前記削除された情報が前記検索結果の情報であると前記判定工程により判定された場合、
前記削除情報格納工程は、前記削除された情報を特定するための削除情報を前記削除情報格納手段に格納することを特徴とする請求項９に記載の情報処理方法。
【請求項１１】
前記削除された情報が前記検索によらない情報であると前記判定工程により判定された場合、
前記追加情報格納工程は、前記検索によらない情報を特定するための前記追加情報を前記追加情報格納手段から削除することを特徴とする請求項１０に記載の情報処理方法。
【請求項１２】
削除処理の履歴を示す情報を削除履歴情報格納手段に格納する削除履歴情報格納工程を更に備えることを特徴とする請求項９に記載の情報処理方法。
【請求項１３】
削除処理の取消指示が入力されたことにより、前記削除履歴情報格納工程により前記削除履歴情報格納手段に格納された情報が削除された場合、
前記削除情報格納工程は、前記削除履歴情報格納手段に格納された情報のうち、前記削除された情報に対応する削除情報を特定し、当該削除情報を前記削除情報格納手段から削除することを特徴とする請求項１２に記載の情報処理方法。
【請求項１４】
前記表示情報処理工程により生成された表示情報に基づいて、前記検索結果の情報から前記削除情報により特定される情報を削除した情報と、前記追加情報により特定される情報と、を識別して表示手段に表示させる表示制御工程を更に備えることを特徴とする請求項１２に記載の情報処理方法。
【請求項１５】
前記検索条件により再検索を行った場合、前記表示制御工程は、前記検索結果の情報から前記削除情報により特定される情報を削除した情報を、検索結果の表示として前記表示手段に表示させることを特徴とする請求項１４に記載の情報処理方法。
【請求項１６】
削除処理の取消指示が入力されたことにより、前記削除履歴情報格納工程により格納された情報を削除して前記検索条件により再検索を行った場合、前記表示制御工程は、前記検索結果の情報を検索結果の表示として前記表示手段に表示させることを特徴とする請求項１４に記載の情報処理方法。  
【請求項１７】
請求項９乃至請求項１６のいずれか１項に記載の情報処理方法をコンピュータに実行させることを特徴とするプログラム。
【請求項１８】
請求項１７に記載のプログラムを格納したことを特徴とするコンピュータ可読の記憶媒体。
【手続補正２】
【補正対象書類名】明細書
【補正対象項目名】００１０
【補正方法】変更
【補正の内容】
【００１０】
即ち、本発明に係る情報処理装置は、設定された検索条件に基づく検索結果の情報と検索によらない情報とを格納することが可能なフォルダに対して、情報の格納及び情報の削除に関する設定と、当該フォルダに格納されている情報の表示に関する処理とを実行する情報処理装置であって、
前記検索によらない情報を前記フォルダに格納した際に、当該情報を特定するための追加情報を格納する追加情報格納手段と、
前記検索結果を示す情報から削除された情報を特定するための削除情報を格納する削除情報格納手段と、
前記検索結果の情報から前記削除情報により特定される情報を削除した情報と、前記追加情報により特定される情報とに基づいて、表示手段に表示するための表示情報を生成する表示情報処理手段と、を備えることを特徴とする。
【手続補正３】
【補正対象書類名】明細書
【補正対象項目名】００１１
【補正方法】変更
【補正の内容】
【００１１】
あるいは、本発明に係る情報処理方法は、設定された検索条件に基づく検索結果の情報と検索によらない情報とを格納することが可能なフォルダに対して、情報の格納及び情報の削除に関する設定と、当該フォルダに格納されている情報の表示に関する処理とを実行する情報処理装置における情報処理方法であって、
前記検索によらない情報を前記フォルダに格納した際に、当該情報を特定するための追加情報を追加情報格納手段に格納する追加情報格納工程と、
前記検索結果を示す情報から削除された情報を特定するための削除情報を削除情報格納手段に格納する削除情報格納工程と、
前記検索結果の情報から前記削除情報により特定される情報を削除した情報と、前記追加情報により特定される情報とに基づいて、表示手段に表示するための表示情報を生成する表示情報処理工程と、を備えることを特徴とする。